(57)【要約】【課題】解放可能なナイフキャリアを有する外科手術用ステープル留め装置の提供。【解決手段】外科手術用ステープル留め装置は、細長いシャフトの遠位部分上に支持された再装填組立体を含む。再装填体は、ハウジングと、移動可能にハウジング内で支持されたプッシャ組立体と、移動可能にプッシャ組立体内で支持されたナイフキャリアと、ナイフキャリア上に支持された環状ナイフとを含む。細長い本体は、プッシャ駆動部材と、ナイフキャリアプッシャとを含む。ナイフキャリアは、ナイフキャリアプッシャ上に形成された第２の係合構造体に解放可能に係合して、ナイフキャリアプッシャをナイフキャリアに解放可能に連結するように構成された第１の係合構造体を含む。ナイフキャリアは、ナイフキャリアをナイフキャリアプッシャから連結解除したときに、プッシャ駆動部材の遠位部分と接触するように移動可能である少なくとも１つの戻り止めを支持する。【選択図】なし【特許請求の範囲】
【請求項１】
外科手術用ステープル留め装置であって、
長手方向軸を画定し、かつ近位部分及び遠位部分を有する細長い本体であって、前記細長い本体は、プッシャ駆動部材及びナイフキャリアプッシャを含み、前記プッシャ駆動部材が、テーパ状遠位部分を有する貫通孔を画定する内側表面を有する、細長い本体と、
ハウジング、複数のステープルを支持するステープルカートリッジ、プッシャ組立体、ナイフキャリア、及びナイフを含む再装填組立体であって、前記プッシャ組立体が、前記ステープルカートリッジから前記複数のステープルを放出するように、後退位置と前進位置との間で移動可能に前記ハウジング内で支持され、前記プッシャ組立体が、貫通孔を画定する内側表面を有し、前記内側表面が、座ぐり孔を画定する近位部分を有し、前記ナイフキャリアが、ナイフを支持し、かつ第１の係合構造体を含み、前記ナイフキャリアが、少なくとも１つの戻り止めを有する、再装填組立体と、を備え、
前記ナイフキャリアプッシャが、前記ナイフキャリアの前記第１の係合構造体に解放可能に係合して、前記ナイフキャリアプッシャを前記ナイフキャリアに連結するように構成された第２の係合構造体を含み、前記第１の係合構造体が、前記第２の係合構造体と係合された第１の位置から、第２の係合構造体から係合解除された第２の位置へと移動可能であり、
前記外科手術用ステープル留め装置が発射前状態にあるときに、前記少なくとも１つの戻り止めが、前記プッシャ組立体の前記座ぐり孔内に位置付けられ、前記外科手術用ステープル留め装置が前記複数のステープルを放出し、かつ組織を切断するように作動された後、前記ナイフキャリアが後退されたときに、前記戻り止めが、前記第１の位置から前記第２の位置に向かって前記第１の係合を促して、前記ナイフキャリアを前記ナイフキャリアプッシャから連結解除するように、前記プッシャ駆動部材の前記テーパ状遠位部分に係合するように位置付けられる、外科手術用ステープル留め装置。
【請求項２】
前記ナイフキャリアが、複数の可撓性脚部により画定された近位部分を含む、請求項１に記載の外科手術用ステープル留め装置。
【請求項３】
前記少なくとも１つの戻り止めが、前記複数の可撓性脚部の各々上に支持された戻り止めを含む、請求項２に記載の外科手術用ステープル留め装置。
【請求項４】
前記戻り止めの各々が、前記ナイフキャリアの長手方向軸から外方に延在する、請求項３に記載の外科手術用ステープル留め装置。
【請求項５】
前記ナイフキャリアが、前記プッシャ組立体により画定された前記貫通孔内で移動可能に位置付けられる、請求項１に記載の外科手術用ステープル留め装置。
【請求項６】
前記戻り止めの各々が、前記複数の可撓性脚部のそれぞれの可撓性脚部と一体的に形成される、請求項３に記載の外科手術用ステープル留め装置。
【請求項７】
前記第１の係合構造体が、前記複数の可撓性脚部の近位部分上に形成される、請求項６に記載の外科手術用ステープル留め装置。
【請求項８】
前記第１の係合構造体が、前記複数の可撓性脚部の前記近位部分上に形成された凹部を含む、請求項７に記載の外科手術用ステープル留め装置。
【請求項９】
前記凹部が、環状チャネルを含む、請求項８に記載の外科手術用ステープル留め装置。
【請求項１０】
前記複数の可撓性脚部の各々の前記近位部分が、前記ナイフキャリアの長手方向軸に向かって近位方向にテーパ状である、請求項８に記載の外科手術用ステープル留め装置。
【請求項１１】
前記第２の係合構造体が、前記第１の係合構造体の前記凹部内に受容されるように構成された突出部を含む、請求項８に記載の外科手術用ステープル留め装置。
【請求項１２】
前記突出部が、環状である、請求項１１に記載の外科手術用ステープル留め装置。
【請求項１３】
前記第１の係合構造体の前記凹部が、前記ナイフキャリアの前記長手方向軸に対して直交する近位壁により画定される、請求項１０に記載の外科手術用ステープル留め装置。
【請求項１４】
前記第２の係合構造体の前記突出部が、前記ナイフキャリアプッシャの前記長手方向軸に対して直交する近位壁により画定される、請求項１３に記載の外科手術用ステープル留め装置。
【請求項１５】
前記第２の係合構造体の前記近位壁が、前記ナイフキャリアプッシャの近位移動を前記ナイフキャリアの近位移動へと変換するように、前記第１の係合構造体の前記近位壁に係合するように位置付けられる、請求項１４に記載の外科手術用ステープル留め装置。
【請求項１６】
ハンドル組立体を含む、請求項１に記載の外科手術用ステープル留め装置。
【請求項１７】
前記再装填組立体が、前記細長い本体に解放可能に連結される、請求項１に記載の外科手術用ステープル留め装置。
【請求項１８】
前記プッシャ組立体が、環状プッシャと、ステープル押し部材とを含む、請求項１に記載の外科手術用ステープル留め装置。
【請求項１９】
前記環状プッシャが、前記ステープル押し部材の近位部分に当接するように位置付けられる、請求項１８に記載の外科手術用ステープル留め装置。
【請求項２０】
前記ハンドル組立体が、電動式ハンドル組立体である、請求項１６に記載の外科手術用ステープル留め装置。
【発明の詳細な説明】
【技術分野】
【０００１】
１．技術的な説明
本開示は、外科手術用ステープル留め装置を対象とし、より具体的には、ナイフキャリアプッシャに解放可能に連結されたナイフキャリアを含む外科手術用ステープル留め装置を対象とする。
【背景技術】
【０００２】
２．関連技術の背景
従来型の円形ステープル留め装置は、細長い本体と、細長い本体の遠位部分上に支持されたシェルもしくは再装填組立体とを含む。再装填組立体は、複数のステープルを支持するステープルカートリッジと、ステープルカートリッジからステープルを放出するようにステープルカートリッジに対して移動可能であるプッシャと、ナイフと、ナイフを支持し、かつ組織を取るようにステープルカートリッジを通して移動可能であるナイフキャリアとを含む。外科手術用ステープル留め装置はまた、プッシャ駆動部材と、細長い本体内に支持されたナイフキャリアプッシャとを含む。プッシャ駆動部材は、ステープルプッシャと係合され、かつステープルプッシャを移動させてステープルカートリッジからステープルを放出するように移動可能である。同様に、ナイフキャリアプッシャは、ナイフキャリアと係合され、かつ組織を取るナイフキャリアの移動に影響を与えるように移動可能である。いくつかの円形ステープル留め装置において、ナイフキャリアプッシャ及びナイフキャリアは、外科手術用ステープル留め装置の細長い本体からの再装填組立体の分離を容易にするように分離可能である。
【０００３】
いくつかの設計において、ナイフキャリアプッシャのナイフキャリアからの分離を容易にするように、背角度がナイフキャリアプッシャ上に形成され得る。これらの設計において、選択された背角度が過度に小さい場合、ナイフキャリアは、細長い本体からの再装填体の除去時に損傷を受ける可能性があり、選択された背角度が過度に大きい場合、ナイフキャリアプッシャのナイフキャリアからの係合解除が早期に生じ得、その結果、ナイフの完全な後退が達成されない。
【発明の概要】
【発明が解決しようとする課題】
【０００４】
好適な時間にナイフキャリア及びナイフキャリアプッシャの係合及び係合解除に影響を与える、単純だが信頼できる機構が、ステープル留め技術分野において必要とされている。
【課題を解決するための手段】
【０００５】
本開示の一態様において、外科手術用ステープル留め装置は、長手方向軸を画定し、かつ近位部分及び遠位部分を有する細長い本体と、再装填組立体とを含む。細長い本体は、プッシャ駆動部材と、ナイフキャリアプッシャとを含む。プッシャ駆動部材は、テーパ状遠位部分を有する貫通孔を画定する内側表面を有する。再装填組立体は、ハウジングと、複数のステープルを支持するステープルカートリッジと、ステープルカートリッジから複数のステープルを放出するように、後退位置と前進位置との間で移動可能にハウジング内で支持されたプッシャ組立体とを含む。プッシャ組立体は、貫通孔を画定する内側表面を有する。内側表面は、座ぐり孔を画定する近位部分を有する。再装填組立体はまた、ナイフを支持するナイフキャリアを含む。ナイフキャリアは、第１の係合構造体と、少なくとも１つの戻り止めとを含む。ナイフキャリアプッシャは、ナイフキャリアの第１の係合構造体に解放可能に係合して、ナイフキャリアプッシャをナイフキャリアに連結するように構成された第２の係合構造体を含む。第１の係合構造体は、第２の係合構造体と係合された第１の位置から、第２の係合構造体から係合解除された第２の位置へと移動可能である。ステープル留め装置が発射前状態にあるとき、少なくとも１つの戻り止めは、プッシャ組立体の座ぐり孔内に位置付けられ、ステープル留め装置が作動されて複数のステープルを放出し、組織を切断した後、ナイフキャリアが後退されると、戻り止めは、第１の係合構造体を第１の位置から第２の位置に向かって促して、ナイフキャリアをナイフキャリアプッシャから連結解除するように、プッシャ駆動部材のテーパ状遠位部分に係合するように位置付けられる。
【０００６】
実施形態において、ナイフキャリアは、複数の可撓性脚部により画定された近位部分を含む。
【０００７】
いくつかの実施形態において、少なくとも１つの戻り止めは、複数の可撓性脚部の各々上に支持された戻り止めを含む。
【０００８】
一定の実施形態において、戻り止めの各々は、ナイフキャリア長手方向軸から外方に延在する。
【０００９】
実施形態において、ナイフキャリアは、プッシャ組立体により画定された貫通孔内で移動可能に位置付けられる。
【００１０】
いくつかの実施形態において、戻り止めの各々は、複数の可撓性脚部のそれぞれ１つと共に一体的に形成される。
【００１１】
一定の実施形態において、第１の係合構造体は、複数の可撓性脚部の近位部分上に形成される。
【００１２】
実施形態において、第１の係合構造体は、複数の可撓性脚部の近位部分上に形成された凹部を含む。
【００１３】
いくつかの実施形態において、凹部は、環状チャネルを含む。
【００１４】
一定の実施形態において、複数の可撓性脚部の各々の近位部分は、ナイフキャリアの長手方向軸に向かって近位方向にテーパ状である。
【００１５】
実施形態において、第２の係合構造体は、第１の係合構造体の凹部内に受容されるように構成された突出部を含む。
【００１６】
いくつかの実施形態において、突出部は、環状である。
【００１７】
一定の実施形態において、第１の係合構造体の凹部は、ナイフキャリアの長手方向軸に対して直交する近位壁により画定される。
【００１８】
実施形態において、第２の係合構造体の突出部は、ナイフキャリアプッシャの長手方向軸に対して直交する近位壁により画定される。
【００１９】
いくつかの実施形態において、第２の係合構造体の近位壁は、ナイフキャリアプッシャの近位移動をナイフキャリアの近位移動へと変換するように、第１の係合構造体の近位壁に係合するように位置付けられる。
【００２０】
一定の実施形態において、ハンドル組立体は、電動式ハンドル組立体である。
【００２１】
実施形態において、再装填組立体は、細長い本体に解放可能に連結される。
【００２２】
いくつかの実施形態において、プッシャ組立体は、環状プッシャとステープル押し部材とを含む。
【００２３】
一定の実施形態において、環状プッシャは、ステープル押し部材の近位部分に当接するように位置付けられる。
例えば、本願は以下の項目を提供する。
（項目１）
外科手術用ステープル留め装置であって、
長手方向軸を画定し、かつ近位部分及び遠位部分を有する細長い本体であって、上記細長い本体は、プッシャ駆動部材及びナイフキャリアプッシャを含み、上記プッシャ駆動部材が、テーパ状遠位部分を有する貫通孔を画定する内側表面を有する、細長い本体と、
ハウジング、複数のステープルを支持するステープルカートリッジ、プッシャ組立体、ナイフキャリア、及びナイフを含む再装填組立体であって、上記プッシャ組立体が、上記ステープルカートリッジから上記複数のステープルを放出するように、後退位置と前進位置との間で移動可能に上記ハウジング内で支持され、上記プッシャ組立体が、貫通孔を画定する内側表面を有し、上記内側表面が、座ぐり孔を画定する近位部分を有し、上記ナイフキャリアが、ナイフを支持し、かつ第１の係合構造体を含み、上記ナイフキャリアが、少なくとも１つの戻り止めを有する、再装填組立体と、を備え、
上記ナイフキャリアプッシャが、上記ナイフキャリアの上記第１の係合構造体に解放可能に係合して、上記ナイフキャリアプッシャを上記ナイフキャリアに連結するように構成された第２の係合構造体を含み、上記第１の係合構造体が、上記第２の係合構造体と係合された第１の位置から、第２の係合構造体から係合解除された第２の位置へと移動可能であり、
上記外科手術用ステープル留め装置が発射前状態にあるときに、上記少なくとも１つの戻り止めが、上記プッシャ組立体の上記座ぐり孔内に位置付けられ、上記外科手術用ステープル留め装置が上記複数のステープルを放出し、かつ組織を切断するように作動された後、上記ナイフキャリアが後退されたときに、上記戻り止めが、上記第１の位置から上記第２の位置に向かって上記第１の係合を促して、上記ナイフキャリアを上記ナイフキャリアプッシャから連結解除するように、上記プッシャ駆動部材の上記テーパ状遠位部分に係合するように位置付けられる、外科手術用ステープル留め装置。
（項目２）
上記ナイフキャリアが、複数の可撓性脚部により画定された近位部分を含む、上記項目に記載の外科手術用ステープル留め装置。
（項目３）
上記少なくとも１つの戻り止めが、上記複数の可撓性脚部の各々上に支持された戻り止めを含む、上記項目のいずれか一項に記載の外科手術用ステープル留め装置。
（項目４）
上記戻り止めの各々が、上記ナイフキャリアの長手方向軸から外方に延在する、上記項目のいずれか一項に記載の外科手術用ステープル留め装置。
（項目５）
上記ナイフキャリアが、上記プッシャ組立体により画定された上記貫通孔内で移動可能に位置付けられる、上記項目のいずれか一項に記載の外科手術用ステープル留め装置。
（項目６）
上記戻り止めの各々が、上記複数の可撓性脚部のそれぞれの可撓性脚部と一体的に形成される、上記項目のいずれか一項に記載の外科手術用ステープル留め装置。
（項目７）
上記第１の係合構造体が、上記複数の可撓性脚部の近位部分上に形成される、上記項目のいずれか一項に記載の外科手術用ステープル留め装置。
（項目８）
上記第１の係合構造体が、上記複数の可撓性脚部の上記近位部分上に形成された凹部を含む、上記項目のいずれか一項に記載の外科手術用ステープル留め装置。
（項目９）
上記凹部が、環状チャネルを含む、上記項目のいずれか一項に記載の外科手術用ステープル留め装置。
（項目１０）
上記複数の可撓性脚部の各々の上記近位部分が、上記ナイフキャリアの長手方向軸に向かって近位方向にテーパ状である、上記項目のいずれか一項に記載の外科手術用ステープル留め装置。
（項目１１）
上記第２の係合構造体が、上記第１の係合構造体の上記凹部内に受容されるように構成された突出部を含む、上記項目のいずれか一項に記載の外科手術用ステープル留め装置。
（項目１２）
上記突出部が、環状である、上記項目のいずれか一項に記載の外科手術用ステープル留め装置。
（項目１３）
上記第１の係合構造体の上記凹部が、上記ナイフキャリアの上記長手方向軸に対して直交する近位壁により画定される、上記項目のいずれか一項に記載の外科手術用ステープル留め装置。
（項目１４）
上記第２の係合構造体の上記突出部が、上記ナイフキャリアプッシャの上記長手方向軸に対して直交する近位壁により画定される、上記項目のいずれか一項に記載の外科手術用ステープル留め装置。
（項目１５）
上記第２の係合構造体の上記近位壁が、上記ナイフキャリアプッシャの近位移動を上記ナイフキャリアの近位移動へと変換するように、上記第１の係合構造体の上記近位壁に係合するように位置付けられる、上記項目のいずれか一項に記載の外科手術用ステープル留め装置。
（項目１６）
ハンドル組立体を含む、上記項目のいずれか一項に記載の外科手術用ステープル留め装置。
（項目１７）
上記再装填組立体が、上記細長い本体に解放可能に連結される、上記項目のいずれか一項に記載の外科手術用ステープル留め装置。
（項目１８）
上記プッシャ組立体が、環状プッシャと、ステープル押し部材とを含む、上記項目のいずれか一項に記載の外科手術用ステープル留め装置。
（項目１９）
上記環状プッシャが、上記ステープル押し部材の近位部分に当接するように位置付けられる、上記項目のいずれか一項に記載の外科手術用ステープル留め装置。
（項目２０）
上記ハンドル組立体が、電動式ハンドル組立体である、上記項目のいずれか一項に記載の外科手術用ステープル留め装置。
（摘要）
外科手術用ステープル留め装置は、外科手術用ステープル留め装置の細長いシャフトの遠位部分上に支持された再装填組立体を含む。再装填体は、ハウジングと、移動可能にハウジング内で支持されたプッシャ組立体と、移動可能にプッシャ組立体内で支持されたナイフキャリアと、ナイフキャリア上に支持された環状ナイフとを含む。細長い本体は、プッシャ駆動部材と、ナイフキャリアプッシャとを含む。ナイフキャリアは、ナイフキャリアプッシャ上に形成された第２の係合構造体に解放可能に係合して、ナイフキャリアプッシャをナイフキャリアに解放可能に連結するように構成された第１の係合構造体を含む。ナイフキャリアは、ナイフキャリアが後退されて、第１の係合構造体を第２の係合構造体との係合から解除するように促し、ナイフキャリアをナイフキャリアプッシャから連結解除したときに、プッシャ駆動部材の遠位部分と接触するように移動可能である少なくとも１つの戻り止めを支持する。
【図面の簡単な説明】
【００２４】
解放可能なナイフキャリアを含む、本開示の外科手術用ステープル留め装置の種々の実施形態は、図を参照して本明細書の下に記載されている。
【００２５】
【図１】再装填組立体及びアンビル組立体が近似位置にある状態のアンビル組立体を含む、本開示の外科手術用ステープル留め装置の１つの例示的な実施形態の側面斜視図である。
【図２】図１に示されている詳細の指定領域の拡大図である。
【図３】図２に示されている再装填組立体及びアンビル組立体を含む、本開示のステープル留め装置の遠位部分の一部が分離した状態の側面斜視図である。
【図４】図３に示されている再装填組立体のプッシャ組立体の環状プッシャの近位端部からの側面斜視図である。
【図４Ａ】図３に示されている再装填組立体のナイフキャリアの近位端部からの側面斜視図である。
【図５】図３に示されているステープル留め装置の遠位部分のナイフキャリアプッシャの遠位部分からの側面斜視図である。
【図５Ａ】図３に示されているステープル留め装置の遠位部分のプッシャ駆動部材の側面斜視図である。
【図６】発射前状態での外科手術用ステープル留め装置の遠位部分を図示している図２の断面線６−６に沿って切り取られた断面図である。
【図６Ａ】図６に示されている詳細の指定領域の拡大図である。
【図６Ｂ】ナイフキャリア及びナイフキャリアプッシャが後退位置にある状態での発射後状態での図６に示されている外科手術用ステープル留め装置の遠位部分の側断面図である。
【図７】ナイフキャリア及びナイフキャリアプッシャが前進位置にある状態での発射後状態での図６Ａに示されている外科手術用ステープル留め装置の遠位部分の側断面図である。
【図８】ナイフキャリア及び駆動部材が後退位置にあり、かつナイフキャリア及びナイフキャリアプッシャの分離を促進するようにその後退位置に向かって移動している状態での、発射後状態で図７に示されている外科手術用ステープル留め装置の遠位部分の側断面図である。
【００２６】
実施形態の詳細な説明
次に、本開示の円形ステープル留め装置は、同様の符号がいくつかの図の各々において同一または対応する要素を指定している図を参照して詳細に記載されるだろう。本説明において、「近位」という用語は、概して、臨床医により近いステープル留め装置のそのような部分を指すものとして使用されており、「遠位」という用語は、概して、臨床医からより遠いステープル留め装置のそのような部分を指すものとして使用されている。
【００２７】
本開示の円形ステープル留め装置は、ステープル留め装置の細長いシャフトの遠位部分上に支持されるシェルもしくは再装填組立体を含む。再装填組立体は、ハウジングと、ステープルの複数の環状列を支持するステープルカートリッジと、ステープルプッシャ組立体と、ナイフキャリアと、ナイフキャリア上に支持される環状ナイフとを含む。プッシャ組立体は、貫通孔を画定する内側表面を含む。プッシャ組立体の内側表面は、座ぐり孔を画定する近位部分を有する。ナイフキャリアは、プッシャ組立体の貫通孔内で移動可能に位置付けられる。
【００２８】
細長い本体は、プッシャ駆動部材とナイフキャリアプッシャとを含む。プッシャ駆動部材は、プッシャ組立体の貫通孔と整列する貫通孔を画定する内側表面を有する。プッシャ駆動部材の内側表面の遠位部分は、外方遠位方向にテーパ状である。ナイフキャリアは、プッシャ組立体及びプッシャ駆動部材内で移動可能に位置付けられ、かつナイフキャリアをナイフキャリアプッシャと連結させるように、ナイフキャリアプッシャと係合された第１の位置から、ナイフキャリアプッシャから係合解除された第２の位置へと移動可能である、複数の近位に延在する弾性脚部を含む。弾性脚部の各々は、ステープル留め装置が発射前状態にあるときにプッシャ組立体の座ぐり孔内に位置付けられた、外方に延在する戻り止めを支持する。ステープル留め装置がステープルを発射するように作動されたときに、プッシャ駆動部材は、プッシャ組立体を前進させてステープルをステープルカートリッジから放出するように前進される。その後、ナイフキャリアプッシャは、ナイフキャリア及びナイフを前進させて組織を切断もしくは取るように前進される。組織がステープル留めされ、取られた後、プッシャ駆動部材が後退され、続いてナイフキャリアプッシャが後退されて、ナイフキャリア及びナイフをハウジング内に後退させる。ナイフキャリアが後退されると、ナイフキャリアの弾性脚部上の戻り止めは、ナイフキャリアの弾性脚部を第２の位置へと促して、ナイフキャリアプッシャをナイフキャリアから連結解除するように、プッシャ組立体の座ぐり孔内の位置からプッシャ駆動部材のテーパ状遠位部分と接触するように移動される。本開示の再装填組立体は、ナイフキャリアのナイフキャリアプッシャからの早期の係合解除の可能性を最小にすると同時に、ナイフがハウジング内に完全に後退された後、ナイフキャリアのナイフキャリアプッシャからの連結解除に影響を与えるのに必要とされる力を低減する。
【００２９】
図１及び２は、本開示の外科手術用ステープル留め装置１０の例示的な実施形態を図示している。外科手術用ステープル留め装置１０は、ハンドル組立体１２と、細長い本体もしくはアダプタ組立体１４と、再装填組立体１６と、技術上知られているような離間及び近似位置間で再装填組立体１６に対して移動するように支持されたアンビル組立体１８とを含む。再装填組立体１６は、細長い本体１４の遠位部分１４ａに解放可能に連結された近位部分１６ａを含む。ハンドル組立体１２は、再装填組立体１６及びアンビル組立体１８の近似、ステープル３６の再装填体１６からの発射、及び組織の切断もしくは取得を含む、外科手術用ステープル留め装置１０の種々の機能の動作を制御するための静止グリップ２２及び作動ボタン２４を含む。外科手術用ステープル留め装置１０は、ハンドル組立体１２からの電力を再装填組立体１６及びアンビル組立体１８に変換するアダプタ組立体の形態での電動式ハンドル組立体１２及び細長い本体１４を含む電動式ステープル留め装置として図示されているが、本開示は、手動のステープル留め装置内に組み込まれる可能性もあることが想定される。電動式ステープル留め装置の例は、米国特許第９，０２３，０１４号（「‘０１４特許」）、及び同第９，０５５，９４３号（「‘９４３特許」）内に見られることができ、それらの全体は、参照により本明細書に組み込まれる。代替的に、外科手術用ステープル留め装置１０は、ロボットシステムと共に使用するように構成される可能性があり、ハンドル組立体を含む必要はない。
【００３０】
図２〜３を参照すると、再装填組立体１６は、ハウジング２６と、プッシャ組立体２８と、ナイフキャリア３０と、ナイフキャリア３０上に支持された環状ナイフ３２と、ステープルカートリッジ３４と、ステープルカートリッジ３４内に支持されたステープル３６とを含む。ステープルカートリッジ３４は、環状であり、かつステープルポケット４０（図３）の環状列を画定する。ステープルポケット４０の各々は、ステープル３６の１つを支持する。プッシャ組立体２８は、長手方向貫通孔２８ａを共に画定する環状プッシャ４２及びステープル押し部材４４を含む。プッシャ４２は、ハウジング２６内のプッシャ４２の遠位移動がハウジング２６内のステープル押し部材４４の遠位移動に影響を与えるように、ステープル押し部材４４の近位部分に当接する遠位部分を有する。再装填体１６のステープル押し部材４４は、複数の指部４６を有する。複数の指部４６の各々は、ステープルカートリッジ３４のステープルポケット４０のそれぞれ１つ内に受容され、ステープル押し部材４４が後退位置から前進位置へとハウジング２６内を遠位に移動されるときに、ステープルポケット４０からステープル３６を放出するように、それぞれのステープルポケット４０を通して移動可能である。
【００３１】
図４も参照すると、プッシャ組立体２８のプッシャ４２は、長手方向貫通孔２８ａの一部分を画定する内側表面４２ａを含む。プッシャ４２の内側表面４２ａは、下にさらに詳細に考察される座ぐり孔４３をさらに画定するように、その近位部分で外方に段差になっている。
【００３２】
再び、図３を参照すると、アンビル組立体１８は、技術上知られているような外科手術用ステープル留め装置１０の近似機構（図示せず）に解放可能に連結されたアンビルシャフト１８ａを含む。アンビルシャフト１８ａは、アンビル組立体１８がステープルカートリッジ３４に対して離間及び近似位置間で移動するときに、ハウジング２６の内側ハウジング部分２６ａにより画定された貫通孔４１（図６）内で移動可能である。
【００３３】
図３及び４Ａを参照すると、ナイフキャリア３０は、後退及び前進位置間で移動可能にプッシャ組立体２８の貫通孔２８ａ内で支持される。ナイフキャリア３０（図７）の前進位置において、ナイフ３０は、ステープルカートリッジ３２の遠位端部から延在し、ナイフキャリア３０（図６）の後退位置において、ナイフ３２は、臨床医による接触からナイフ３２を保護するように、ステープルカートリッジ３４内で凹状である。ナイフキャリア３０は、実質的に筒状の遠位部分５０と、実質的に筒状のより小さい直径の近位部分５２とを含む。より小さい直径の近位部分５２は、その間に溝５４を画定する複数の離間した弾性脚部５３により画定される。溝５４は、プッシャ組立体２８内の後退位置から前進位置へのナイフキャリア３０の移動を誘導するように、プッシャ４２内に画定された突起（図示せず）を受容する。長手方向溝５４はまた、下にさらに詳細に考察されているように、弾性脚部５３がナイフキャリアプッシャ７０（図５）（下に詳細に記載されている）と係合される第１の位置及びナイフキャリア３０がナイフキャリアプッシャ７０（図８）から係合解除される第２の位置からのナイフキャリア３０の弾性脚部５３の内方屈曲を容易にする。実施形態において、ナイフ３２は、圧着等によりナイフキャリア３０の遠位部分５０の周りに固定される。代替的に、他の締め付け技術を用いてナイフ３２をナイフキャリア３０に固定することができる。ナイフキャリア３０の遠位部分５０の最遠位部分５０ａは、ナイフ３２及びナイフキャリア３０が滑らかな外側表面を画定するように、環状ナイフ３２を受容するように凹状であり得る。
【００３４】
ナイフキャリア３０の弾性脚部５３の各々は、外方に延在する戻り止め５５を支持する。戻り止め５５は、それぞれの脚部５３と共に一体的に形成され得るか、または代替的に、それぞれの弾性脚部５３内に形成された開口５７内に挿入された分離したプラグ５５ａ（図６Ｂ）として形成され得る。戻り止め５５は、ナイフキャリア３０及びプッシャ組立体２８が後退位置にある状態で外科手術用ステープル留め装置１０が発射前状態にあるときに、プッシャ組立体２８の座ぐり孔４３（図６）内に位置付けられる。図４Ａも参照すると、ナイフキャリア３０の弾性脚部５３の各々は、長手方向軸を画定し、ナイフキャリア３０をナイフキャリアプッシャ７０（図５）に解放可能に連結するように、下に詳細に記載されているような細長い本体１４のナイフキャリアプッシャ７０の遠位部分に係合するように構成された第１の係合構造体６０を含む。実施形態において、第１の係合構造体６０は、下にさらに詳細に記載されているように、ナイフキャリアプッシャ７０の遠位部分上に形成された第２の係合構造体８０（図５）を受容するように構成された環状チャネルもしくは凹部６０ａを含む。環状として示されているが、他の凹部構成が想定される。第１の係合構造体６０の環状チャネル６０ａは、遠位及び近位壁により画定され、近位壁８０ａは、ナイフキャリア３０の長手方向軸に対して実質的に直交している。実施形態において、ナイフキャリア３０の各弾性脚部５３の近位部分５３ａは、ナイフキャリア３０の長手方向軸に向かって内方近位方向にテーパ状である。ナイフキャリア３０のテーパ状近位部分５３ａ及び長手方向溝５４は、再装填組立体１６が下に詳細に記載されているような細長い本体１４に取り付けられているときに、ナイフキャリアプッシャ７０の遠位部分へのナイフキャリア３０の取り付けを容易にする。
【００３５】
図５も参照すると、ナイフキャリアプッシャ７０は、本体７４の中心部分から本体７４の遠位部分へと延在する切り欠き７５を有する実質的に筒状の本体７４を含む。ナイフキャリアプッシャ７０は、管状であり、貫通孔７４ａを画定する内側壁８１を含む。実施形態において、第２の係合構造体８０は、ナイフキャリアプッシャ７０の内側壁８１の遠位部分上に形成された突出部８１ａを含む。突出部８１ａは環状であるものとして示されているが、他の構成が想定される。環状突出部８１ａは、ナイフキャリアプッシャ７０の長手方向軸に実質的に直交する近位表面８１ｂを含む。環状突出部８１ａは、ナイフキャリア３０をナイフキャリアプッシャ７０に連結するように、弾性脚部５３が第１の位置（図６）のときに、ナイフキャリア３０の環状チャネル６０ａ（図４Ａ）内に受容される。環状突出部８１ａの近位壁８１ｂは、ナイフキャリアプッシャ７０の後退がナイフキャリア３０の後退に影響を与えるように、環状チャネル６０ａを画定する近位壁８０ａ（図６Ａ）に係合するように位置付けられる。実施形態において、ナイフキャリアプッシャ７０の筒状の本体７４は、細長い本体１４内に支持された駆動部材（図示せず）に係合するように構成された凹部８４を画定する。駆動部材は、細長い本体もしくはアダプタ等の２０１５年１０月６日に出願され、その全体が参照により本明細書に組み込まれる、米国公開第２０１６／０１０６４０６号（「‘４０６公開」）が開示している技術上知られているように、ナイフキャリアプッシャ７０の近位部分に固定され、再装填組立体１６のハウジング２６内でナイフキャリアプッシャ７０を前進及び後退させるように動作可能である。
【００３６】
図３及び５Ａを参照すると、細長い本体１４は、長手方向軸を画定し、かつ貫通孔９２ａを画定する内側表面９２を有する管状本体９０ａを有するプッシャ駆動部材９０を含む。内側表面９２の遠位部分は、外方遠位方向内にテーパ状である先端縁部９４を画定する。貫通孔９２ａは、下にさらに詳細に記載されているように、ナイフキャリア３０及びナイフキャリアプッシャ７０が後退及び前進位置間で移動されるときに、ナイフキャリア３０及びナイフキャリアプッシャ７０を受容する。管状本体９０ａは、前進及び後退位置間のプッシャ駆動部材９０の変換に影響を与えるように、細長い本体１４内の構造体に係合するように構成された近位部分を含む。その全体が参照により本明細書に組み込まれる‘４０６公開は、かかる構造体を含む細長い本体を開示している。
【００３７】
図６及び６Ａは、発射前状態でのステープル留め装置１０の遠位部分を図示している。発射前状態において、再装填体１６のプッシャ組立体２８及びナイフキャリア３０ならびに細長い本体１４のナイフキャリアプッシャ７０及びプッシャ駆動部材９０は、後退位置にある。それらの後退位置において、プッシャ組立体２８及びプッシャ駆動部材９０は、ナイフキャリア３０の弾性脚部５３の近位部分上の第１の係合構造体６０と、ナイフキャリアプッシャ７０の遠位部分上に位置付けられた第２の係合構造体８０との間の接合部１０６の周りに延在する。加えて、ナイフキャリア３０の弾性脚部５３は、戻り止め５５がプッシャ組立体２８のプッシャ４２の座ぐり孔４３内に受容された状態でそれらの第１の位置にあり、ナイフキャリア３０及びナイフキャリアプッシャ７０は、係合状態にある。
【００３８】
図６Ｂは、プッシャ組立体２８及びプッシャ駆動部材９０がステープルカートリッジ３４からステープル３６（図６）を放出するように、それらの前進位置に矢印「Ａ」により示された方向に移動された状態で、発射後状態にある外科手術用ステープル留め装置１０の遠位部分を図示している。加えて、ナイフキャリア３０、ナイフ３２、及びナイフキャリアプッシャ７０は、それらの後退位置に留まっている。この状態において、戻り止め５５は、ナイフキャリア３０の弾性脚部５３がそれらの第１の位置に留まり、ナイフキャリア３０がナイフキャリアプッシャ７０と係合した状態を維持するように、座ぐり孔４３の近位部分に位置付けられる。
【００３９】
図７は、ナイフキャリアプッシャ７０及びナイフ３２が「Ｂ」により示された方向でそれらの前進位置に移動された後の発射後状態での外科手術用ステープル留め装置１０の遠位部分を図示している。この状態において、プッシャ組立体２８、プッシャ駆動部材９０、ナイフキャリア３０、及びナイフキャリアプッシャ７０は、戻り止め５５が座ぐり孔４３の中心部分にある状態で、それらの前進位置にある。そのように、ナイフキャリア３０の弾性脚部５３は、ナイフキャリア３０及びナイフキャリアプッシャ７０の第１及び第２の係合構造体６０、８０が、ナイフキャリア３０がナイフキャリアプッシャ７０に連結された状態を維持するように係合している状態で、それらの第１の位置に留まる。
【００４０】
図８を参照すると、ステープル３６（図３）が発射され、かつ組織が切断された後、プッシャ駆動部材９０は、後退される。上で考察されているように、プッシャ駆動部材９０は、プッシャ組立体２８と当接関係にあり、よって、プッシャ組立体２８は、プッシャ駆動部材９０と共に後退しない。続いて（または同時に）、ナイフキャリアプッシャ７０は、プッシャ組立体２８及びプッシャ駆動部材９０内にナイフキャリア３０を後退させるように、完全な後退位置へと移動される。ナイフキャリアプッシャ７０が完全な後退位置へと移動されたとき、第２の係合構造体８０の環状突出部８１ａの近位壁８１ｂは、ナイフキャリアプッシャ７０の後退がナイフキャリア３０の後退に影響を与えるように、環状チャネル６０ａを画定する近位壁８０ａに係合する。上で考察されているように、壁８０ａ及び８１ｂがナイフキャリア３０の長手方向軸に実質的に直交しているため、壁８１ｂによる壁８０ａに加えられた力は、弾性脚部５３をそれらの第２の位置に向かって促さない。
【００４１】
ナイフキャリア３０がその後退位置に向かって移動されたときに、戻り止め５５は、ナイフ３２を再装填組立体１６のハウジング２６内に後退させるように、ナイフキャリアプッシャ７０と係合されたそれらの第１の位置に弾性脚部５３が留まるように、座ぐり孔４３を通して移動する。ナイフ３２がハウジング２６内に後退された後、戻り止め５５は、プッシャ駆動部材９０のテーパ状先端縁部９４に係合するように位置付けられる。戻り止め５５がプッシャ駆動部材９０のテーパ状先端縁部９４に係合したときに、弾性脚部５３は、第１の係合構造体６０を第２の係合構造体８０から係合解除し、かつナイフキャリア３０をナイフキャリアプッシャ７０から連結解除するように、それらの第１の位置からそれらの第２の位置に向かって矢印「Ｃ」により示された方向に内方に促される。戻り止め５５を提供することにより、本発明の再装填組立体１６は、ナイフキャリア３０のナイフキャリアプッシャ７０からの連結解除に影響を与えるように、ナイフキャリアプッシャ７０上の背角度に依存しない。戻り止め５５は、ナイフキャリア３０とナイフキャリアプッシャ７０との間の分離のタイミングを正確に制御し、かつナイフキャリアプッシャ７０からのナイフキャリア３０の早期の分離の可能性を最小にすると同時に、ナイフキャリア３０及びナイフキャリアプッシャ７０の分離に影響を与えるのに必要とされる力を最小にする機能を果たす。
【００４２】
上で考察されているように、ナイフキャリア３０の各弾性脚部５３の近位部分５３ａは、ナイフキャリア３０の長手方向軸に向かって内方近位方向にテーパ状である。図６Ａを再び参照すると、再装填組立体１６が外科手術用ステープル留め装置１０の細長い本体１４の遠位部分に取り付けられたときに、弾性脚部５３のテーパ状近位部分５３ａは、ナイフキャリアプッシャ７０の遠位面１００に係合するだろう。弾性脚部５３のテーパ状近位部分５３ａとナイフキャリアプッシャ７０の遠位面１００との間の係合は、第１の係合構造体６０が第２の係合構造体８０のそばを通ることを可能にするように、弾性脚部５３を下方にカム留めするだろう。脚部５３の弾性性質に起因して、第２の係合構造体８０は、ナイフキャリア３０及びナイフキャリアプッシャ７０を連結するように構造体が整列したときに、第１の係合構造体６０内にスナップ結合するだろう。
【００４３】
当業者であれば、本明細書に特に記載され、かつ添付の図に図示されている装置及び方法が、非制限的で例示的な実施形態であることを理解するだろう。１つの例示的な実施形態と関連して図示または記載されている要素及び特徴は、本開示の範囲から逸脱することなく、別の要素及び特徴と組み合わせされ得ることが想定される。例えば、本明細書に開示されている実施形態のいずれも、ステープルカートリッジ及び／またはアンビル上の異なる高さの異なる大きさ及び／または表面にあるステープルを含むことができるだろう。本明細書に開示されている実施形態のいずれも、薬剤もしくは小線源療法のシード等の治療物質を送達するのに使用され得るか、または使用され得ない、外科手術用バットレスを含み得る。同様に、当業者であれば、上に記載されている実施形態に基づく本開示のさらなる特徴及び利点を理解するだろう。したがって、本開示は、添付の特許請求の範囲により示されているものを除いて、特に示され、かつ記載されているものにより限定されるものではない。
【図１】
2018158108.tif 000002
【図２】
2018158108.tif 000003
【図３】
2018158108.tif 000004
【図４】
2018158108.tif 000005
【図４Ａ】
2018158108.tif 000006
【図５】
2018158108.tif 000007
【図５Ａ】
2018158108.tif 000008
【図６】
2018158108.tif 000009
【図６Ａ】
2018158108.tif 000010
【図６Ｂ】
2018158108.tif 000011
【図７】
2018158108.tif 000012
【図８】
2018158108.tif 000013